(57)【要約】  液体、ジェル、シロップあるいは粉末を収納する容器の壁を通して挿入される２部片密封カプセルを提供する。このカプセルは、液体あるいは乾湿材料を密封収容する入れ物であり、所望時容器内にこの材料を分与する分与器の役割をする。カプセルの頂部を手動で押し込むと、カプセルの底部に接続されたプランジャ管が底部および側部から引き裂かれて中身の材料を分与する。本発明は、容器内の中身に添加されると変色、劣化あるいは他の物質と相互作用してしまう材料を使用するまで安定して、および／もしくは作用しない状態で保持することを可能とするものである。
2007537106.tif 000002
【特許請求の範囲】
【請求項１】
容器壁を有する液体用容器と、
液体不透過性で、前記容器壁を介して接続されたカプセル本体と、
を有する容器中に分与する物質を入れた、容器の壁を介して接続されたカプセルにおいて、
前記カプセル本体は、第１部材と、該第１部材内で移動可能に装着される第２部材とを含み、
前記カプセルの第１部材は、頂部開口と、脆弱線を有する密封閉止底部と、該底部に接続された垂直プランジャ管とを含み、
前記第２部材は、密封閉止頂部とプランジャを形成する開口底部とを含み、
前記第１部材と前記第２部材は、第１モードで相互に密封されて、なんらの液体あるいは乾質材料をカプセルから逃がさない前記カプセル本体を形成し、
前記第２部材は、押し込まれて前記カプセル内の物質を押出した際に前記プランジャ管と係合する長さのサイズを有してなるカプセル。
【請求項２】
前記第１部材は円筒形であり、前記第１部材は円筒形であり、
前記第１部材の内径は、前記第２部材の外径より大きい
請求項１に記載のカプセル。
【請求項３】
前記第１部材の円筒形側壁および前記密封底部は、その周辺に沿って脆弱材料の接合領域を有し、前記プランジャ管と係合する第２部材により破断されるようになっている
請求項２に記載のカプセル。
【請求項４】
前記第１部材の内壁は、前記第２部材と係合する密封手段を有して入る
請求項２に記載のカプセル。
【請求項５】
前記第２部材は、ストロウを挿入するための開口を形成する除去可能の領域を有している
請求項１に記載のカプセル。
【請求項６】
カプセル本体の第１部材は、前記容器の一体の部分として前記容器壁に一対成形されている
請求項１に記載のカプセル。
【請求項７】
前記カプセル本体の第１部材は、前記容器壁に一対成形されているともに、該容器壁から外方に突出している
請求項６に記載のカプセル。
【請求項８】
前記容器は、管状形であり、押し圧変形可能の材料性である
請求項１に記載のカプセル。
【請求項９】
前記容器は、従来のミルク容器に似た形状である
請求項１に記載のカプセル。
【請求項１０】
前記容器は、授乳びんである
請求項１に記載のカプセル。
【発明の詳細な説明】
【技術分野】
【０００１】
びん、パック、カートン、管、缶、密封性のサンドイッチバッグ、その他の液体あるいはジェル容器の本体に直接装着される、あるいは容器の首部やキャップに挿入可能の液体あるいは乾質物質分与カプセルに関する。カプセルは、適時手動で容器内に分与しうる液体あるいは乾質物質を収容し、混合した内容物をユーザが容易に消費できるようになっている。
【背景技術】
【０００２】
各種の食品、薬剤、化粧品、うがい薬、接着剤、光沢材、クレンザ、染料などの物質は、液体、粉末あるいは結晶状態で供給されることの多いコンパウンドあるいは混合材であり、別の液体と溶液あるいは懸架状態で物質を混合した後では、安定、強度あるいは効果が長続しない。この混合後の非両立性は、混合後製品を直ぐに使用し、その高い有益性を充分に得て有効強度の低下、劣化、変色、相互作用、効果の低減を防止しなければならない。各種の物質の混合は、ある測定量の一つの物質をある測定量の別の液体あるいは薬品に添加して適切な結果を得る状態で行うことが重要である。有効性の低下の過程は、「貯蔵寿命」としばしば称されている。二つの薬品を組み合わせた直後に劣化の過程が開始されるのが常である。
【０００３】
さらに、製品の販売即品の観点で、二つの対となる製品を単一の包装容器に入れて消費者に提供することが望ましいものである。よって、多くの製品は、その性質から製造し混合後になるべく直ぐに消費者により使用されることが望ましい。なぜなら、製品の所望の特性が短期間で失われるからである。しかして、製品の二つの成分を分離保持すれば長期間貯蔵保管が可能となる。このような場合、この二つの成分は、使用直前に混合して所望の製品を形成させるようにもできる。このような製品を市販するには、両成分を同一包装容器の部分として販売するか、あるいは消費者側で添加するようにすることが望ましいことは明らかである。審美性や取り扱いの観点からは、このような成分を分離して保持するために単一の包装容器を使用することが好ましい。
【０００４】
水、ジュース、滋養強壮飲料などの所望の人的消費液体を収容する従来の液体容器の使用は当然ながら良く知られている。活性酸素、ビタミン、ミネラル、ハーブ、栄養剤ならびにフレーバなどの不活性あるいは活性成分があり、特に消費者の健康に有益なこれらを水、ジュースなどの飲料に加えて消費者にさらなる満足感を与えることができる。このような別の液体に混合してさらなる満足感を与えるものの多くは、しかしながら、液体や別の物質と混合すると、貯蔵保管寿命が短く、変色したり相互作用して早期に品質低下を招くものである。よって、多くの飲料は、追加の満足を与えるような成分を添加することなく、販売されている。
【０００５】
クリーナ、健康薬品、頭髪剤、ヘアケア、ヘアカラー、化粧品、薬、製薬ならびにデンタルケア製品を含む別の製品容器も知られている。このような製品も貯蔵保管寿命の短い活性成分を含んでいる。これらの容器内では、使用前に別々に成分を分けておくことか望ましいものとなる。
【０００６】
スタイガワルトの米国特許第５３７０２２２号に、使用前に容器内で混合を行う先行技術が紹介されている。これに開示の装置は、液体を入れる開口を有するねじつきの容器本体と、粉末を入れフォイルで密封された解放可能の小容器とを含むものであり、前述のフォイルは、小容器を容器上にねじ込んだ祭に切断用の突き棒により破断されるようになっている。本発明と異なり、スタイガワルトの構成は、粉末を入れた小容器が容器の内部でなく頂部に位置しており、二つの部品を密封するプランジャ手段と言うよりも切断手段を用いており、小容器の内容物をまず閉じ込めて次いで吐出するようになっている。
【０００７】
ギルドの米国特許第５８６３１２６号に、粉末物質を含む第１上部容器と、この上部容器が頂部にねじ込まれて、境にある開口にスナップ嵌めされた密封内側ステムディスクにより分けられている第２下側容器とで構成された授乳びん混合装置を開示している。このディスクは、使用に際して前述の開口から解放されて下側容器に落下するようになっている。本発明では、液体を入れるびんにねじ込むことなく挿入可能なカプセル本体を開示しており、さらにひとつのスナップ嵌めプラグの代わりの二つの密封可能の二つのプラグすなわち蓋体と、ねじ付きの再使用可能の上部容器に対して、乾質物質あるいは液体を入れる使い捨て再使用不可能な内部装着カプセルとで構成される。
【０００８】
ディパルマの米国特許第５２４６１４２号に二つの製品を分けて貯蔵しついで混合させる装置を開示している。この装置は、第１成分容器、該容器内に分離して挿入された脆弱壁領域を有する第２成分分与区画室プランジャ構造、プランジャに接続された着脱可能の容器蓋体ならびに脆弱壁領域を破断し、第２成分を第１成分容器に放出する係合プランジャ突起を有する。本発明と異なり、ディバルマの単一の密封手段は、第２成分用の保持容器となっており、混合製品を直ぐに分与できるオリフィスを動作時に形成するものとなっていない。
【０００９】
ゲレットの米国特許第５６９２６４４号に、第１液体を入れるびんが粉末を入れる第２貯蔵容器と可動の壁を介して分離された、二つの製品を分離して貯蔵し、次いで混合し分与する容器を開示している。容器の分与オリフィスに向けて円筒形のピストンに力を加えると、二つの容器の間のシールが切断され、容器の第１液体びん内で二つの製品が混合し得るようになっている。ギレットの装置は、本発明の全ての実施例とも異なっており、ピストンが、びんにスナップ嵌めした可動ベースの一体部分となっており、手動で圧縮するとシールが破れ、液体の入ったびんの底部に中身が押し上げられて、二つの製品が混合し、これと同時にびんの外部寸法が減少するものである。本発明では、びん内に一体となったピストンあるいは可動ベースを設けることなく乾質製品を分与し、使用に際して容器の全体的寸法が変化しないものである。
【００１０】
さらに、モランの米国特許第４６３８９２７号に、添加成分を分離して貯蔵する密封袋体を頚部に設けた、液体用のびんを含む分離貯蔵分与装置が開示されている。びんの頚部にあるキャップ内に可動のブッシュボタン穴あけ器が設けられ、これにより袋体が開放され、その内部の成分をびんの液体中へ吐出し、その後にキャップ内の管を通して分与する構成であり、本発明の構成のような開口した中央キャップ領域通して分与されるものでない。モランは、本願発明のような二つのプラグ構成を有する構成でもない、
【００１１】
１９６４年１１月１０にボウズ等に付与された米国特許第３１５６３６９号に、びんキャップ分与器を含む複式容器が開示されているが、混合成分を消費させるために分与器を容器内に保持する構成を何ら開示するものでない。
【００１２】
分与容器に関しては、小児保護が設けられ、分与過程でフォイル、紙、プラスティックなどの材料の破片や断片、泡などが形成されないようにし、小児や成人に障害を与えないようになっている。
【００１３】
製造原価を考慮して分与器を含ませることが日常の使用で現実的なものであるか否かを常に検討する必要もある。
【発明の開示】
【課題を解決するための手段】
【００１４】
本発明の目的は、液体あるいは乾質成分を入れるカプセルであって、本体壁の一部として、本体壁に装着されるか、あるいは、パック、バッグ、管、スプレイ容器、カートン、ポンプ、注射器、缶ならびにプラスチック製あるいはガラス製のびんなどの各種の液体容器に挿入されるようになったカプセルを提供することである。カプセルは、手動分与器を含み、カプセル内成分は、カプセル本体内に完全に密封されていて、消費者が手動でカプセル内成分（粉末あるいは液体）を定量を分与して使用しようとするまで容器内の液体から分離されて保留されている。カプセルは、また工場で簡便に装着されるか、別々に製造され、ここで説明されているように容器に挿入される。カプセルは、各種の包装容器あるいはカートンのいずれの場所にも容器の壁を介して装着可能である。活性酸素、ビタミン、ハーブ、栄養剤、接着材などの活性成分は、特定の液体に添加すると効能期限（貯蔵保管寿命）が短縮されるが、以上の構成により、使用される瞬間までカプセル内に確実にかつ密封して貯蔵できることとなり、最終的に所望の液体に添加するようにすれば良いので、液体容器に収めていても材料の貯蔵保管寿命やその効能期限に悪影響を与えることはない。動作させれば、容器の中身は、カプセルを除去することなくユーザにより使用できる。カプセルは、容器壁に密封して取り付けられ、容器から突出しないようにすることもできる。
【００１５】
本発明は、現存の液体容器、カートン、びんキャップ、管あるいは現存のびんをかなり改造する必要がないことが利点である。容器壁の開口を介して、従来の容器ならびにびんキャップの密封性能を阻害することなく現存のびん容器にカプセルを挿入できるのである。本発明は、塗料缶にも利用でき、カプセル内の濃縮着色塗料を白色塗料に添加するようにすることができる。カプセルは、容器壁の一部として成形しても良い。
【００１６】
カプセルは、液体収容容器に液体を部分充填後に、容器の頚部に工場で装填して装着しても良いし、消費者が既存の容器に用いるようにしても良い。従来のびんキャップは、カプセルを含めてびん内の中身を密封するように用いることができる。成分を中に密封したカプセルを単独で販売することもできるし、各種の容器内に装填することもできる。
【００１７】
本願特許請求の範囲の記載の発明は、上述の先行技術のそれぞれあるいはその組み合わにおいても、開示あるいは示唆されておらず、よって自明なものでない。
【００１８】
本発明によれば、カートン、ポウチ、管、スプレイ容器、ポンプ、注射器、包装容器ならびに液体びん容器などの、各種寸法ならびに形状、すなわち円筒形などの液体不透過性容器内に装着あるいは装着可能で、液体あるいは粉末材料を密封して収容するための成分分与カプセルであって、直径が、びん、缶、ドラム、カートン、ポーチなどの頚部の内径部に嵌め込むか、あるいは本体部に挿入する寸法となっている。カプセルは、手動動作するとびんの中身を分与する密封カプセルを形成する二つの組合せ部材で構成される。円筒形カプセルが好ましいものであるが、必要により、その他の形状のカプセルとすることができる。液体や乾質成分か密封可能にカプセルに充填される。
【００１９】
第１部材は、密封閉止された端部と、複数の開口環状リップにより囲まれた開放端部とを有する円筒である。上記複数の開口は、一実施例においては、びんの頚部内に用いられて円筒壁を超えて外方に延在し、混合された中身をびんから飲むことにより消費される。好ましい実施例では、第１部材の環状リップは、流通開口を有していない。なぜなら、容器製造工場で容器壁に恒久的に密封装着されているからであり、カプセルはびんの頚部およびびんキャップの開口から挿入される。円筒部材は、容器壁の円形孔にヒートシールあるいは接着される環状リップを含むようにしても良い。成分が充填されてから、びん工場で第２部材が装着され密封される。操作がなされると、混合成分が、通常のびんキャップ開口を通して流出させることができる。代替実施例では、カプスルの円筒形第１部材は、容器本体の一部として成形可能である。
【００２０】
第１部材の円筒形内壁は、頂部開口の下方に環状溝を有することができる。第１部材は、プラスチック、ポリプロピレンおよび／もしくはポリエチレンなどの非限定不透過性材料で形成される。その他の材料も適宜使用可能である。さらに、第１部材は、その他の材料で形成することもできる。第１部材の密封底端部は、円筒壁と一体成形され、底端部壁がその周辺付近で薄い環状領域を持つように一体のピースとし、脆弱な底端キャップの役割をなしている。垂直のプランジャ管が、第１部材の底端部の上面に一体成形され、びんの壁の中心から周辺側へずらした位置に配置されている。
【００２１】
第２部材（プランジャ）は、開放底端部および密封閉止頂端部を有する円筒である。第２部材の外径は、第１部材の内径より小さく、よって、第２部材は、第１部材内にはめ込まれ、手動で押し込まれるプランジャの役割をする。円筒壁で形成される第２部材の円筒の底部開放端部を画成する周辺は、環状である。第２部材は、第１部材の円筒壁の内部の環状溝にはめ込まれる一体成形環状ビートあるいは隆起シールを有する。第１部材のプランジャ管は、垂直に第１部材の円筒のほとんど頂部開口から垂直に延在している。第１部材の円筒形本体は、底端部壁から円筒壁の円弧部分に沿って円筒壁のほぼ半分だけ上方にのびる円弧幅が２０度の脆弱領域を有する円筒壁部を有する。さらに、第１部材の底部壁は、周辺に沿って脆弱領域を有し、円筒壁脆弱領域の一部として装着されて材料の一連続ユニットとして作用している。第２部材（プランジャ）を押し込んでプランジャ管を手動で押し下げた際に、第１部材の底部円筒と円筒壁の一部が分離し、中身を分与する一方第１部材の円筒と容器壁が装着したまま残存する。
【００２２】
本発明の好適実施例においては、第２部材は、第１部材の不使用位置に密封嵌合しており、成分を内部に収めた空気密密封カプセルを形成している。第１部材と第２部材の双方が液体不透過性であり、第２部材がその閉止端部付近に環状ビードを有し、第１部材がその開放端部の頂部の付近に内側溝を有するので、工場でまず第１部材に分与すべき成分を充填した後に、第１部材と第２部材が互いに接合される。充填する成分は、液体および／もしくは粒状体、ジェル、粉末、マイクロカプセル剤、あるいはこれらの組合せとすることができ、工場で第１部材に充填される。第１部材の円筒に成分を配置した状態で、第２部材（プランジャ）を、成分を含む第１部材内に挿入嵌合され、第２部材の環状ビードが第１部材の溝に係合して密封するまで、内部に押し込まれる。よって、カプセルは、閉止頂部（プランジャ）と密封底部（シリンダ）とを有するものとなり、成分を含む密封体となる。
【００２３】
カプセル全体は、カートン、びん、包装容器、可撓性あるいは非可撓性の容器などの壁に、装着密封される。カプセルは、密封接合により、カートンあるいは可撓性の液体包装容器の壁に、確実に、恒久的に密封装着される。
【００２４】
使用時、カプセルの第２部材（プランジャ）は、手動で押し込むことができ、第１部材のプランジャ管が第２部材の端部壁に係合するまで第２部材を手動で降下させる。第１部材の底部に対して第２部材を押し込むことにより、剛性のプランジャ管は、脆弱線に沿って第１部材の部分すなわち底部壁および側壁から破断し引き裂かれ、結果として中身が重力により容器内の液体中に迅速に分与される。
【００２５】
成分種類およびその用途は様々であり、ヘヤカラー、ステーキ、マリネあるいはハーブなどの料理食品、自動車用製品、洗剤製品、薬品、口腔歯科製品などの包装容器は、使用前まで別々に分ける必要のある二つの異なる液体、粉末薬品を利用する各種製品のほんの一例である。
【００２６】
カプセルが容器の頚部、開口ならびに容器キャップを介して装着されていれば、成分が容器内の液体と充分混合されて容器の開口からスムースに混合成分を流出、噴出、送出あるいは搾り出すようにして、成分を容器内の液体と充分に混合後にユーザは直ぐに容器から直接飲んだ入りあるいは注いだりすることができる。第１部材の内壁は、頂部から下方に長さ約１／３のフランジを含み、このフランジは第２の部材のリップに係合して第２部材が容器内に突進あるいは突入することを防止するとともに、混合した成分が容器の外に漏れ出すのを防止している。プランジャ管はさらに第２部材が容器内に落下するのを防止している。
【００２７】
本発明の利点の一つは、いずれの端部にも薄い追加のフォイルが必要としないことである。工場で密封してしまえば、カプセルは、自己充足となり、単独で販売して、その後液体容器、ポーチ、カートン、ジャグ、缶などに挿入するようにできるし、また工場でいずれか形式の容器に液体を充填する際に設けるようにしても良い。別の容器を使用する目的は、カプセル内の成分と、容器内成分との混合成分の貯蔵保管寿命を長くすることにある。多くの成分は、水やその他の飲料に加えると貯蔵保管寿命が短くなる。使用時までカプセルを完全に密封しておけば、活性成分は、びん、カートン、包装容器内の液体などの主成分から分けて保持することができる。
【００２８】
本発明の代替実施例においては、第２部材（プランジャ）の閉止端部は、接着材やシールなどを有する除去可能のカバーにより密封された飲用ストロウと一緒に使用するために、中心孔を有するように修正することもできる。ユーザが容器から混合成分を流出させたりするのに第１部材の上側周辺リップ開口がもはや必要でなくなり、また飲用ストロウで容器内からの飲用が可能となる。第１部材の底部キャップが破断されるかストロウが通されると、直ぐに液体を第２部材の孔を通して流すことができる。
【００２９】
好適実施例では、カプセルは、容器に挿入するのでなく、包装容器などの本体に密封可能に装着される。容器は、カプセルの一部が、容器本体のと一緒に形成されるように成形できる。流出用の環状リップ開口を設ける必要がなくなる。またカプセルを容器本体から突出するようにすることもできる。
【００３０】
カプセルは、いずれの種類の材料でも、またその組合せでも製造することができる。
【００３１】
さらに別の実施例では、カプセルを仕切により複数の隔室を有するようにして異なる化学薬品を分けて保持し、一つのカプセルから同時に分与可能にしている。
【００３２】
本発明の一つの目的は、第２の異なる成分を収容する容器に所望時活性あるいは非活性成分を容易に分与可能にする挿入可能あるいは恒久的に装着可能のカプセルを提供することであり、これにより混合する成分の保管寿命あるいは物理的／化学的性状が影響されないようするものである。
【００３３】
本発明の更なる目的は、消費者が液体収容容器、ポーチ、包装容器、カートンなどに液体、ジェル、シロップあるいは粉末を何時でも分与できるようにする分与器を含む液体あるいは乾質成分収容小容器を提供することであり、カプセルを密封状態で液体収容容器に収納するものとする。
【００３４】
さらに本発明の別の目的は、消費者が随時液体収容容器に、いずれの寸法および形状のカプセルからでも所望の成分を衛生的に放出することを可能とすることである。
【００３５】
本発明の以上の目的および以下で明らかになるその他の目的に鑑み、本発明を添付図を参照して具体的に説明することとする。
【実施例】
【００３６】
添付図の特に図１を参照して、本発明は、同図に参照番号１０で図示され、水不透過性のプラスチック製円筒形の第１部材１２を含み、第１部材の本体は、脆弱壁領域１２ａａを介して円筒形第１部材２０と一体成形された密封底部１２ａを有する。脆弱壁領域１２ａａは、第１部材１２の底部に周辺を画成する。環状リップ１６が円筒形第１部材１２の頂部開口の周りに設けられ、円筒形第１部材１２の内壁を越えて延在する周辺の周りに設けた複数の開口１２を含んでいる。第１部材１２の内壁は、第２部材１４のビードをはめ込む環状溝２２が設けられている。プランジャ管２０が第２部材１４に係合し、第２部材が容器（図示せず）内に落下するのを防止している。
【００３７】
図２を参照して、本発明が、第１部材１２の上方で開放底部を有する円筒形の第２部材１４とともに図示されている。第１部材１２には最終的に別の容器、すなわち、びんや包装容器などに分与される成分を収容している。機械的プランジャである第２部材は、第２部材の外側円筒壁の表面上方に延在する一体形成の環状ビード２４を有する。環状ビード２４は、第１部材１２内に成分が収容された後直ぐに第１部材内の所定位置で第２部材１４を密封するために設けられている。さらに、円筒形の第１部材１２の外壁の下方領域に線１２ｂｂにより表示される脆弱線が設けられている。
【００３８】
さらに図２を参照して、延長環状リップ１６は、流通開口を含み、第１部材１２の開放頂部の周りに外方に延在している。リップ１６の目的は、びんキャップの頚部の内側にマウントを提供することであり、これによりカプセル１０を容器内に落下させることなく、容器内にカプセル全体を支持している。リップ１６は、さらに複数の開口を有している。この開口を通してカプセル外側に液体が流出でき、装置の動作後成分と混合した液体を収容する容器から消費者が飲むことを可能にしている。さらに、装着部材２６がその上方周辺に沿って配置された第１部材１２の側部から突出する径方向アームとなっている。
【００３９】
図３の前部立面図を参照するに、第１部材１２用の円筒形本体を形成するカーブした円筒壁のほぼ矩形の部分となる脆弱領域１２ｂ全体が図示されている。脆弱線１２ｂｂの目的は、第１部材１２壁における第２部材１４を押し込んでプランジャロッド２０を動作させた際に、本体１２から破断分離可能の実質領域１２ｂを提供することである。
【００４０】
図４および図４Ａは、本発明が非動作位置にある状態を示している。図４には中身の成分は図示していないが、この成分は、第１部材１２のユニオンにより画成される内室にすでに充填されているものとし、第２部材１４が密封状態の構成となっている。図４には成分か図示していないものの、液体あるいは粉末のいずれかの成分が充填されていることが通常であろう。
【００４１】
図４Ａを参照して、側部円筒本体１２と底部壁との間の接合部は、ベースすなわち底部壁１２ａの周をめぐる脆弱線１２ａａを含んでいる。
【００４２】
図５には、本発明がすでに動作して成分が分与した状態を示している。第２部材１４が押し込まれていることが直ぐ理解できる。第２部材１４は、これ以上は押し込むことができない。なぜなら底部脆弱壁１２Ａの上方の第２部材１４の外径より小さい径を有する環状リップ１２Ｃが設けられているからである。さらに重要なことは、脆弱底部１２ａに一体に成形されたプランジャ管２０の位置である。脆弱線１２ａがあるため、第２部材を下方に押し込むと、底部壁１２ａが破断されて、図３で示すように矩形の領域１２ｂを含めて円筒形本体１２から壁１２ａが分離される。この構造では、底部壁１２ａ、プランジャ管２０ならびに第２部材１４がカプセル全体が装着された容器内に偶発的に落下するのを防止している。この位置で容器（図５に図示されていない）は、開口を含むリップ１６を通して混合成分を分与が可能であり、すなわち容器内の混合成分は、容器頂部および容器頸部を通して分与可能となる。
【００４３】
図６には、びんキャップ３２に従来にごとくねじを設けたプラスチックびんすなわち容器３０が図示されている。容器３０の本体３４は、プラスチックその他の液体不透過性の材料で構成できる。容器３０の中身は、水その他の飲料としうる。容器３０の底部には、適時容器３０内に分与される粉末あるいは液体を含むカプセル４０が装着されている。カプセル４０は、環状リング４６に加熱溶着されている。図１から図５に図示の前述の実施例と異なり、この環状リング４６には開口が設けられていない。中実の環状リング４６は、工場において容器４０の底部の開口を介して該底部に加熱溶着あるいは接着される。カプセル４０の円筒形本体４２は、容器３０に一体成形することもできる。カプセル４０内に図示されている脆弱線４４は、図１から図５で説明したように機能する。カプセル頂部（ブランジャ）は、図６には図示されていないが、底部側から押し込み可能であり、適時カプセル４０の底部および脆弱線４４を破断開放してカプセル４０内の何らかの材料を分与する。その時点で、カプセル４０から分与された材料を含めて容器内の中身を、ねじ込みキャップ３２で閉じられていた開口を通して容器外に流出させることができる。
【００４４】
次いで図７には、従来の容器、すなわち授乳びん３８などが図示されている。授乳びん３８には、環状リング４６を容器３８の壁３８ａに壁の開口を介してヒートシールあるいは接着付けすることによりカプセル４０が壁３８ａを通して接合されている。図示の第２部材（ブランジャ）４８は、手動で押し込み可能であり、カプセル４０の中身を容器３８に分与するようになっている。
【００４５】
図８に図示の液体カートン５０には種々の液体を収納可能である。カートン５０は、従来のねじ込みトップ５２および耐水性の紙、プラスチックあるいは折込密封カートン５０を構成するその他の材料性のキューブ状本体とを有してなる。壁５０ａの一つを介してカプセル４０が装着されている。壁５０の開口を通して、位置４６ａにて、環状リングすなわちリップ４６がヒートシールあるいは接着付けなどでカートン５０の壁５０ａに密封装着されている。カプセルの第２部材（プランジャ）４８は、押し込み可能であり、カプセル４０からカートン５０内に中身の粉末あるいは液体を分与可能である。カプセル４０は、その本体を容器５０内にして装着され、壁５０ａの開口を介して壁５０ａに密封あるいは接着されている。カプセル４０の中身は、液体あるいは粉末であり、工場にて充填され、カプセル頂部（プランジャ）４８がカプセル本体に密封される。
【００４６】
図９には、フレキシブル液体不透過性のポーチ６０が図示されている。このポーチ６０は、プラスチック、紙などの耐水あるいは耐液体材料性であり、頂部６２で封止および開放されるようになっている。その側壁６４には、カプセル４０がその環状リップ４６の周りで接着あるいはヒートシールにより密封装着されている。カプセル頂部（プランジャ）４８を操作してカプセル４０の中身を容器６０に分与可能である。
【００４７】
図１０を参照するに、カプセル４０は、環状リップ４６の周りでヒートシールすることにより壁６４に装着されている。カプセル頂部（プランジャ）４８は、図１から図５に図示のように分離した要素であることを示すために外した状態で図示している。上述したようにプランジャ４８は密封機能を有している。図９に図示のポーチは、頂部縁部６２に沿って開放可能となっているので、ポーチ６０内に分与した材料は、混合されて頂部開口６２を通して分与可能である。よって、カプセルが容器本体の壁の一つに装着され、容器の従来の頸部あるいは開口内で使用されていなければ、びんの頸部を通して液体を流出させるために必要であった環状リップ４６の開口が不要となる。図６から図９に図示の実施例では、環状リップ４６は、中実で恒久的に装着されている。リップ４６は、密着され、カプセルの円筒形本体の周りを通して容器内から液体が漏れるのを防止している。
【００４８】
図１１に第１部材５４および第２部材５２（プランジャ）で構成されるカプセル５０を有する代替実施例が図示されている。第１部材５４は、円筒であり、その中に、内部壁５６が第１部材５４の内側を横断して装着され、径方向に分離壁５６を画成し、工場で第１部材５４に充填可能の二つの異なる成分を互いに分けている。これにより二つの異なる活性成分を同一のカプセル５０に充填することができる。プランジャ５８が成形工程で壁の一部とすることができ、上述した機能を発揮する。第２部材（プランジャ）５２は、スリットを設けた径方向に対向する壁５２ａを含み、この壁５２ａにより第２部材５２は、下方にスライドし、工場で第１部材５４の内部を封印する。第２部材５２は、プランジャであり、下方に押し込まれてカプセルの底部５４ａの脆弱線を破断し、双方の成分が同時に分与できる。
【００４９】
図１２に別の実施例を図示する。この実施例では、弾性材料あるいは絞り可能な材料製で脱着可能のキャップ６４を有する歯磨き粉用チューブと類似のスクイズチューブ６０が図示されている。チューブ６０の壁６２の一つを介してカプセル６６が密封装着されている。カプセル６６には、カプセル６６内に入れた第２の材料に作用する第２プランジャ６８を有する。もしチューブ６６の中身が練り歯磨きであれば、カプセル６６には使用するまで活性化できない漂白剤が収容される。この構成により、練り歯磨きなどのスクイズチューブ内に入れる成分の貯蔵保管寿命を大幅に延長可能となる。
【００５０】
図１３に、本発明の別の代替実施例を図示する。脱着可能のキャップ７４を有する従来のプラスチック容器７２は、壁７２の開口を介して線８０に沿ってヒートシールあるいは接着されたカプセル７６を含む。第２部材（プランジャ）７８は手動で押し込むことができ、中身の成分を分与できる。第１部材７６ａは円筒であり、その底部壁に上述した本発明のカプセル用の脆弱線が設けられている。当該実施例のカプセル７６は、壁７２の開口に物理的に装着されている。さらに別の実施例では、カプセル７６の第１部材の特定部分が、上述の脆弱線やプランジャロッドを含めて容器７０に一体成形することができる。
【００５１】
以上、図示のようにカプセル４０は、びんの頚部以内に分離して装着でき、また分与用のどんな容器の壁の一部としても恒久的に固定密封可能である。容器開口の頚部に配置する場合には、容器内部の頚部の壁はおよびカプセルは、カプセルが除去できないように溝へ嵌め込むスナップならびにリングを設けることができる。
【００５２】
本発明は、実際的好適実施例により説明したが、本発明の範囲内で種々の変更ならびに改修が可能である。
【図面の簡単な説明】
【００５３】
【図１】本発明を図示する分解斜視図。
【図２】本発明を図示する分解側立面図。
【図３】本発明の脆弱線の方向の側立面図。
【図４】非動作モードにおける本発明を中身成分なしで横断面で図示する前部立面図。
【図４Ａ】底壁と円筒壁の交差部分を横断面図示する切断図。
【図５】動作後の本発明を横断面で図示する前部立面図。この鏡面図は、反対側を図示する。
【図６】びんの底部に装着した本発明の好適実施例を図示する斜視図。
【図７】プラスチック製授乳びんに装着された本発明の好適実施例を図示する斜視図。
【図８】紙製の液体容器に装着された本発明の好適実施例を図示する斜視図。
【図９】液体を含む包装容器に装着された本発明の好適実施例を図示する斜視図。
【図１０】容器本体にカプセルの第１部材を成形し、プランジャを外した状態で図示する分解切断図。
【図１１】一つのカプセルに二つに分けた隔室を有する代替実施例の第１部材を図示する分解図。
【図１２】本発明の管を図示する図。
【図１３】容器本体に成形された、あるいは密封装着され、本体から突出するカプセルを有する本発明の代替実施例を図示する図。
【図１】
2007537106.tif 000003
【図２】
2007537106.tif 000004
【図３】
2007537106.tif 000005
【図４】
2007537106.tif 000006
【図４Ａ】
2007537106.tif 000007
【図５】
2007537106.tif 000008
【図６】
2007537106.tif 000009
【図７】
2007537106.tif 000010
【図８】
2007537106.tif 000011
【図９】
2007537106.tif 000012
【図１０】
2007537106.tif 000013
【図１１】
2007537106.tif 000014
【図１２】
2007537106.tif 000015
【図１３】
2007537106.tif 000016
【国際調査報告】
2007537106.tif 000017
2007537106.tif 000018